(57)【特許請求の範囲】
【請求項１】
座部体と、
この座部体の後端部に設けられた背部体と、
この背部体内に設けられた固定フレームと、
この固定フレームに上記背部体の上下方向に沿って移動可能に設けられた可動フレームと、
この可動フレームに設けられ上記背部体の上下方向に沿って駆動されるマッサージローラと、
上記背部体の上端部内に位置するとともに上記固定フレームに回動可能に取り付けられた折り曲げフレームと、
この折り曲げフレームを上記座部体側に回動させて上記背部体の上端部を折り曲げたときに、上記折り曲げフレームの回動に連動して上記可動フレームを背部体の上下方向下方に移動させる連動機構を具備し、
上記連動機構は、一端が上記折り曲げフレームに枢着され他端が上記背部体の下方に向かって延出された第１のリンクと、一端が上記可動フレームに枢着され他端が上記固定フレームに枢着されるとともに、中途部に上記第１のリンクの他端が枢着された第２のリンクとを備えていることを特徴とする椅子式マッサージ装置。
【請求項２】
上記背部体の少なくとも上記折り曲げフレームに対応する上部は、折り曲げ可能な柔軟構造であることを特徴とする請求項１記載の椅子式マッサージ装置。
【発明の詳細な説明】
【０００１】
【発明の属する技術分野】
この発明は背部体に上下方向に沿って駆動されるマッサージローラが設けられた椅子式マッサージ装置に関する。
【０００２】
【従来の技術】
マッサージローラによって利用者の身体をマッサージするマッサージ装置には種々のタイプがあり、その１つとして椅子の背部体にマッサージローラを上下方向に沿って駆動可能に設けた椅子式マッサージ装置が知られている。
【０００３】
椅子式マッサージ装置においては、座部に着座した利用者の腰部から首部或いは頸部までをマッサージすることが要求されるから、背部体に設けられたマッサージローラを利用者の腰部から首部或いは頸部の範囲で上下動させることができるようにしなければならない。
【０００４】
【発明が解決しようとする課題】
マッサージローラを利用者の腰部から首部或いは頸部の範囲で上下動させるためには、背部体の上端が利用者の頸部よりも上方に位置するよう、その背部体の背を高くしなければならない。
【０００５】
しかしながら、利用者がマッサージを受けない場合には、背の高い背部体は、室内に設置された背の低い他の椅子とのバランスが悪いということがあったり、圧迫感を与えたりするということがあり、さらには室内を狭く感じさせることがある。
【０００６】
この発明は、利用者がマッサージを受けるときには背部体の背を高くしてマッサージローラを利用者の首部或いは頸部に対応する高さまで走行させることができ、マッサージを受けないときには必要に応じて背部体の高さを低くすることができるようにした椅子式マッサージ装置を提供することにある。
【０００８】
【課題を解決するための手段】
請求項１の発明は、座部体と、
この座部体の後端部に設けられた背部体と、
この背部体内に設けられた固定フレームと、
この固定フレームに上記背部体の上下方向に沿って移動可能に設けられた可動フレームと、
この可動フレームに設けられ上記背部体の上下方向に沿って駆動されるマッサージローラと、
上記背部体の上端部内に位置するとともに上記固定フレームに回動可能に取り付けられた折り曲げフレームと、
この折り曲げフレームを上記座部体側に回動させて上記背部体の上端部を折り曲げたときに、上記折り曲げフレームの回動に連動して上記可動フレームを背部体の上下方向下方に移動させる連動機構を具備し、
上記連動機構は、一端が上記折り曲げフレームに枢着され他端が上記背部体の下方に向かって延出された第１のリンクと、一端が上記可動フレームに枢着され他端が上記固定フレームに枢着されるとともに、中途部に上記第１のリンクの他端が枢着された第２のリンクとを備えていることを特徴とする椅子式マッサージ装置ある。
【００１０】
請求項２の発明は、上記背部体の少なくとも上記折り曲げフレームに対応する上部は、折り曲げ可能な柔軟構造であることを特徴とする請求項１記載の椅子式マッサージ装置にある。
【００１１】
この発明によれば、背部体を折り曲げないときには、マッサージローラが設けられた可動フレームの上部を背部体内の上部に位置させることができるから、利用者の首部或いは頸部をマッサージすることが可能となり、背部体の上部を折り畳むときには可動フレームが下降するから、可動フレームが邪魔になることなく背部体の上部を折り畳み、背部体の高さを低くすることができる。
【００１２】
【発明の実施の形態】
以下、この発明の一実施の形態を図面を参照しながら説明する。
【００１３】
図１乃至図４及び図８に示すこの発明の椅子式マッサージ装置は座部体１を有する。この座部体１は、脚部材２によって支持された座部枠３を有し、この座部枠３の上面には後端部を除く上面に座クッション体４が載置されている。
【００１４】
上記座部枠３の後端部には上下方向に沿う背部体５が設けられている。この背部体５は固定フレーム６を有する。この固定フレーム６は、図４に示すように上記座部枠３の後端部の幅方向両端部に一対の側板７が立設され、この側板７に上下方向に離間して２本の横桟８ａ，８ｂが架設されている。これら横桟８ａ，８ｂの両端部は一対の側板７よりも外方に突出しており、その両端にはそれぞれ背部体５の上下方向に沿って外板９が設けられている。さらに、一対の上記側板７の下端部と外板９の下端部とには横桟８ｃガ設けられている。なお、座部体１の両側には図１に示すように肘掛け１０が設けられている。
【００１５】
上段の横桟８ａの上面の幅方向両端部には図３に示すように先端にローラ１１が回転可能に設けられたＬ字状の金具１２が設けられている。これら一対のローラ１１は、矩形状の可動フレーム１３の幅方向両側に設けられた断面形状がほぼコ字状のガイドレール１４（図６に示す）に転動可能に係合している。つまり、可動フレーム１３は背部体５内に上下方向に沿って移動可能に設けられている。
【００１６】
最上段の横桟８の上面の上記金具１２よりも幅方向外方には、それぞれヒンジ機構１５を形成する一対のアーム１６ａ，１６ｂの一方１６ａがほぼ垂直に立設固定されている。一対のヒンジ機構１５の他方のアーム１６ｂは上記一方のアーム１６ａに対して所定の回動角度で保持可能になっていて、これら他方のアーム１６ｂには折り曲げフレーム１７の幅方向両端が取付け固定されている。この折り曲げフレーム１７は一対の側部材１７ａの下端がステー１７ｂによって連結されていて、上記側部材１７ａは図１に示すように側面形状がくの字状に屈曲されている。
【００１７】
上記折り曲げフレーム１７の一対の側部材１７ａ間には図４に示すように中途部と上部とにそれぞれゴムベルト１８が張設されていている。
【００１８】
上記折り曲げフレーム１７が上記ヒンジ機構１５を介して固定フレーム６に取り付けられていることで、この折り曲げフレーム１７は図３に示すように起立した状態と、図８に示すように座部体１側（前方）に倒伏した状態とで保持できるようになっている。
【００１９】
図４に示すように、上記折り曲げフレーム１７の下端のステー１７ｂの長手方向両端部には、一対の金具２１がフレーム１７の前面側に突出するよう固着されている。この金具２１にはそれぞれ上部が側部材１７ａと逆方向のくの字状に屈曲された第１のリンク２２の上端部が枢着されている。
【００２０】
図４や図７に示すように、上記第１のリンク２２の下端部は背部体５の下方に向かって延出され、一端が上記可動フレーム１３の側面の下端部に設けられた突起部２３ａにピン２３によって枢着された第２のリンク２４の中途部にピン２５によって枢着されている。この第２のリンク２４の他端は上記座部枠３に立設された側板７にねじ２６によって固定された固定リンク２７にスペーサ２９を介してピン２８によって枢着されている。
【００２１】
図１に示すように、折り曲げフレーム１７が起立した状態において、第２のリンク２４は座部体１の前方に向かって上昇する方向に傾斜している。この状態で、上記可動フレーム１３は背部体５内で上昇した位置に保持されている。
【００２２】
図８に示すように、上記折り曲げフレーム１７を座部体１の前方に倒伏させると、第１のリンク２２が連動して下降する。それによって、この第１のリンク２２の他端に中途部が枢着された第２のリンク２４が固定リンク２７に枢着された端部を支点として下方へ回動するから、この回動に可動フレーム１３が連動して下方へ移動する。このとき、可動フレーム１３の長手方向中途部は上記ローラ１１にガイドされて移動する。すなわち、ヒンジ機構１５を介して折り曲げフレーム１７を倒伏方向へ折り曲げることで、可動フレーム１３は図１に示す上昇位置から図８に示す下降位置へ下降する。
【００２３】
なお、上記第１のリンク２２、第２のリンク２４及び固定リンク２７によって折り曲げフレーム１７の回動に可動フレーム１３を連動させて上下動させる連動機構２８を構成している。
【００２４】
図４と図５に示すように、上記可動フレーム１３の内部には幅方向に所定間隔で離間した断面コ字状の一対のガイドレール３１が上下方向に沿って設けられている。このガイドレール３１にはマッサージユニット３２の幅方向両側に設けられたガイドローラ３３が転動可能に係合している。
【００２５】
上記マッサージユニット３２には背部体５の前面側に突出する一対のマッサージローラ３４が偏心回転可能に設けられていて、このマッサージローラ３４は上記マッサージユニット３２に一体的に設けられた可逆モータ等からなる第１の駆動部３５によって偏心回転駆動されるようになっている。
【００２６】
上記可動フレーム１３の下端部には可逆モータ等からなる第２の駆動部３６が設けられている。この第２の駆動部３６は可動フレーム１３の幅方向中途部に上下方向に沿って設けられたねじ軸３７を回転駆動する。つまり、ねじ軸３７は下端を上記第２の駆動部３６に連結し、上端が可動フレーム１３の上端部に設けられた支持部３８に回転可能に支持されている。このねじ軸３７は上記マッサージユニット３２に設けられたナット体３９に螺合されている。
【００２７】
したがって、上記ねじ軸３７が第２の駆動部３６によって回転駆動されれば、その回転方向に応じて上記マッサージユニット３２を可動フレーム１３の上方向或いは下方向に沿って駆動できるようになっている。
【００２８】
なお、マッサージユニット２は、図示しない制御装置によって座部体１に着座した利用者の腰部から頸部の範囲で往復駆動させたり、その範囲内のさらに狭い範囲で往復駆動させることができるようになっている。
【００２９】
上記背部体５は、前面と背面との全体が袋状に形成された外装地４１によって被覆されている。この外装地４１の内面には所定の部位にクッション材４２が保持されている。つまり、上記クッション体４２は、背部体５の前面側では上記マッサージユニット３２の走行範囲を除く部分に設けられ、背面側では固定フレーム６よりも上方の部分全体にわたって設けられている。
【００３０】
図５に示すように、背部体５の前面側に設けられたクッション体４２の内面は滑沢性を有する内布４３によって覆われている。それによって、その部分のクッション体４２が可動フレーム１３との摺動抵抗によって早期に損傷するのを防止している。
【００３１】
また、上記可動フレーム１３の前面側及び連動機構２８の前面側を除く、固定フレーム６の前面側及び折り曲げフレーム１７の前面側、背面側及び上面側には、ウレタンフォーム等のクッション材４４が上記可動フレーム１３や連動機構２８及び折り曲げフレーム１７の各動作に支障がないように所定の形態で設けられている。
【００３２】
このように構成された椅子式マッサージ装置において、利用者が背面にマッサージを受ける場合には折り曲げフレーム１７を図１に示すように起立させた状態にしておく。
【００３３】
その状態で第１の駆動源３５を作動させてマッサージローラ３４を偏心回転させながら、第２の駆動源３６を作動させてマッサージユニット３２を背部体５の可動フレーム１３の上下方向に沿って往復動させれば、利用者は腰部から首部或いは頸部の範囲にマッサージを受けることができる。
【００３４】
利用者がマッサージを受けず、単なる椅子として利用する場合には、マッサージユニット３２を背部体５の下端部に移動させて背部体５の上端部を前方へ折り曲げる。それによって、図８に示すように折り曲げフレーム１７がヒンジ機構１５の他方のアーム１６ｂが前方へ屈曲する。
【００３５】
ヒンジ機構１５の他方のアーム１６ｂが前方へ屈曲すると、このアーム１６ｂに上端が連結された第１のリンク２２が下方へ移動するから、この第１のリンク２２の下端に中途部が枢着された第２のリンク２４が固定リンク２７に枢着された一端部を支点として他端部が下降する方向へ回動する。
【００３６】
上記第２のリンク２４の他端部は可動フレーム１３の幅方向両側の下端部に枢着されている。そのため、第２のリンク２４が回動すると、この回動に可動フレーム１３が連動するから、可動フレーム１３は両側に設けられたガイドレール１４がローラ１１にガイドされて図１に示す上昇位置から、図８に示す下降位置へ変位する。
【００３７】
つまり、背部体５の上部を折り曲げる際、その折り曲げに連動して可動フレーム１３が下方へ移動する。そのため、利用者の首部或いは頸部をマッサージできるよう、可動フレーム１３の上部を背部体５の上部に位置させておいても、背部体５の上部を折り曲げる際に、上記可動フレーム１３によって背部体５の上部が折り曲げられなくなるということがない。
【００３８】
背部体５の上部を折り曲げることで、その上部は図８に示すように座部体１の前方に向かって傾斜する。そのため、座部体１に着座した利用者は背部体５の折り曲げられた部分に寄り掛かることができる。
【００３９】
図８に示すように上部が折り曲げられた背部体５は、その折り曲げられた部分を上方へ回動させれば、その回動にヒンジ機構１５の他方のアーム１６ｂが連動する。
【００４０】
つまり、ヒンジ機構１５の他方のアーム１６ｂが折り畳み時とは逆方向に回動するから、この他方のアーム１６ｂに上端が枢着された第１のリンク２２が上昇し、その上昇に連動して第２のリンク２４が固定リンク２７に連結された一端を支点として他端が上昇する方向に回動する。
【００４１】
それによって、マッサージユニット３４が設けられた可動フレーム１３が上記ローラ１１に沿って上昇するから、この可動フレーム１３の上部が折り曲げ状態から起立した背部体５の上部内に入り込むことになる。したがって、座部体１に着座した利用者の腰部から首部或いは頸部にわたってマッサージローラ３４を往復走行させることができる。
【００４２】
すなわち、上記構成の椅子式マッサージ装置によれば、座部体１に着座した利用者の腰部から首部或いは頸部にわたる範囲をマッサージすることができ、マッサージを受けずに椅子として利用する場合には、背部体５の上部を折り曲げて、その背を低くすることができる。
【００４３】
なお、上記一実施の形態ではマッサージユニット３２と別体に設けた第２の駆動源３６によって上記マッサージユニット３２を背部体５の上下方向に沿って往復駆動するようにしたが、このような構造に代わり、可動フレームに上下方向に沿ってラックを設け、マッサージユニットには駆動源及びこの駆動源によって回転駆動されるとともに上記ラックに噛合したピニオンを設け、このピニオンを回転駆動することで、マッサージユニット３２を駆動する構造としてもよく、マッサージユニットの駆動方法に限定されるものでない。また、マッサージローラの運動態様もなんら限定されるものでなく、例えば偏心回転による叩き運動と同時に、回転軸の軸線方向に揺動する揉み運動を行なうようにしてもよい。
【００４４】
【発明の効果】
以上のようにこの発明によれば、背部体を折り曲げないときには、マッサージローラが設けられた可動フレームの上部を背部体内の上部に位置させることができるから、利用者の首部或いは頸部をマッサージすることが可能となり、背部体の上部を折り畳むときには可動フレームが背部体内を下降するから、この可動フレームが邪魔になることなく背部体の上部を折り畳むことができる。
【図面の簡単な説明】
【図１】この発明の一実施の形態を示す椅子式マッサージ装置のクッション体を除去した縦断面図。
【図２】椅子式マッサージ装置の図１と異なる部分の縦断面図。
【図３】椅子式マッサージ装置のクッション体を含めた図１と同じ部分の縦断面図。
【図４】座クッション体を除去するとともに外装地を仮想線で示した正面図。
【図５】背部体の横断面図。
【図６】可動フレームのガイドレールとこのガイドレールに係合したローラとを示す平面図。
【図７】第１のリンクの下端部を示す正面図。
【図８】背部体の上部を折り曲げた状態を示すクッション体を除去した縦断面図。
【符号の説明】
１…座部体
５…背部体
１３…可動フレーム
２２…第１のリンク
２４…第２のリンク
３４…マッサージローラ
【図１】
0003786585.tif 000002
【図２】
0003786585.tif 000003
【図３】
0003786585.tif 000004
【図４】
0003786585.tif 000005
【図５】
0003786585.tif 000006
【図６】
0003786585.tif 000007
【図７】
0003786585.tif 000008
【図８】
0003786585.tif 000009